(57)【要約】【課題】  乾燥する季節の就寝時に部屋を加湿する方法として、加湿器を設置するが金銭的負担も大きい。また加湿器は定期的な手入れを必要とし手間が掛かる。濡れたタオル等を部屋に吊るす、湯、水の入った容器を置く等の方法も試されるが、顔全体口や喉、鼻を乾燥から直接的に防ぐ効果は得られない。マスクを着用して眠る事は息苦しく、途中で気づかぬ間に外れてしまう事がある。本発明は乾燥する季節の就寝時に顔全体を乾燥から守る事を目的とする。【解決手段】三方向継手２個とパイプ５本をジョイントし、本体底部を形成する。二方向継手２個とパイプ３本をジョイントし、本体上部を形成する。底部と上部を二方向継手でジョイントし、立体構造の本体を完成させる。上部に濡れタオルを覆う。以上の構成よりなる就寝時、顔を潤す乾燥防止器具組立ユニット。【選択図】図１
2016123831.tif 000002
【特許請求の範囲】
【請求項１】
イ）三方向直角継手を左右対称に２個配置し、継手間を横手パイプでジョイントし、更に    直角方向部に縦パイプを左右各１本、垂直方向部に垂直パイプを左右各１本、継手に    ジョイントし、ユニット底部を形成し、
ロ）二方向直角継手を左右対称に２個配置し、継手間を横手パイプでジョイントし、更に    直角方向部に縦パイプを左右各１本、継手にジョイントし、ユニット上部を形成し、
ハ）ユニット底部とユニット上部を相反する向き上下に据え、ユニット底部の垂直パイプ    ２本とユニット上部の縦パイプ２本を二方向直角継手でジョイントし、立体構造物と    し、
二）ユニット上部に濡れタオルを覆う、
以上の構成よりなる就寝時、顔を潤す乾燥防止器具組立ユニット。
【発明の詳細な説明】
【技術分野】
【０００１】本発明は、乾燥する季節の就寝時、顔を潤す乾燥防止器具組立ユニットに関するものである。
【技術背景】
【０００２】従来、乾燥する季節の就寝時は、顔全体、口や喉、鼻の乾燥により呼吸しづらく、痛みが伴い、寝付けない事がある。その為に、乾燥する季節の就寝時には、部屋の乾燥を防ぐ目的で部屋に加湿器を設置する、濡れたタオル等を部屋に吊るす、湯、水の入った容器を置く等の加湿を行うか、または、マスクを着用して眠る等の対策を行っていた。
睡眠補助装置として、就寝時に掛け布団から露出する肩から頭部側が、台座に立設し、露出する頭部側の上方に張り出す支持機構として特許文献１が知られていた。
【先行技術文献】
【特許文献】
【０００３】
【特許文献１】  実開昭６３−１６１５５９公報
【発明の概要】
【発明が解決しようとする課題】
【０００４】乾燥する季節の就寝時に部屋を加湿する方法として、加湿器を設置する方法が一般的であるが、１台あたりの購入コストの問題もあり、複数の寝室に複数台設置する事は大きな金銭的負担となる。また、加湿器は定期的な手入れを必要とし、手間の掛かる物である。
濡れたタオル等を部屋に吊るす、湯、水の入った容器を置く等の方法も試されるが、顔全体、口や喉、鼻を乾燥から直接的に防ぐ効果は得られない。マスクを着用して眠る事は息苦しく、途中で気づかぬ間に外れてしまう事がある。
特許文献１の支持機構は、組立構造が複雑であり、容易に製作、設置することが出来ない。支持機構の固定にネジやボルトナットが使われており、不要時、分解しての収納が容易ではない。
本発明は、以上の問題点を解決するためになされたものである。
【課題を解決するための手段】
【０００５】三方向直角継手を左右対称に２個配置し、継手間を横手パイプでジョイントする。更に直角方向部に縦パイプを左右各１本、垂直方向部に垂直パイプを左右各１本、継手にジョイントし、ユニット底部を形成する。二方向直角継手を左右対称に２個配置し、継手間を横手パイプでジョイントする。更に、直角方向部に縦パイプを左右各１本、継手にジョイントし、ユニット上部を形成する。ユニット底部とユニット上部を相反する向き上下に据え、ユニット底部の垂直パイプ２本とユニット上部の縦パイプ２本を二方向直角継手でジョイントし、立体構造物とする。ユニット上部に濡れタオルを覆う。
以上の構成よりなる就寝時、顔を潤す乾燥防止器具組立ユニット。
【発明の効果】
【０００６】本発明は、継手とパイプをジョイントするだけで本体を構成し、濡れタオルを上部に覆うだけの簡易且つ安価な物である。加湿器を寝室ごと複数台設置する事と比べ、金銭的負担も少なく、加湿器には必要な、定期的な手入れを一切必要とせず、手間が掛らない。
就寝中に濡れタオルで顔面を空間的に直接覆う事により、顔全体、口や喉、鼻を水分で潤し、乾燥を防ぐ事が可能。乾燥季節外で不要の時はジョイントを外し、分解して収納が容易である。また、付帯効果として濡れタオルを覆う事で遮光効果が得られる事、また、好きなアロマオイルを適量、濡れタオルに含ませて眠る事により、リラクゼーション効果が得られる。
【図面の簡単な説明】
【０００７】
【図１】本発明の本体組立状態図
【図２】本発明のユニット底部組立状態図
【図３】本発明のユニット上部組立状態図
【図４】本発明の使用状態図
【図５】本発明の三方向直角継手の斜視図
【図６】本発明の二方向直角継手の斜視図
【発明を実施するための形態】
【０００８】以下、本発明の実施の形態を説明する。
イ）図１に示すように本発明の本体は、下部の図２ユニット底部（５）と上部の図３ユニ    ット上部（７）から構成されている。
ロ）図２に示すようにユニット底部（５）は、三方向直角継手（１）を左右対称に２個配    置し、継手間を横手パイプ（２）でジョイントする。更に、直角方向部に縦パイプ（    ３）を左右各１本、垂直方向部に垂直パイプ（４）を左右各１本、継手（１）にジョ    イントし、形成されている。
三方向直角継手（１）は、図５に示すようにパイプを三方向に繋げられる三方向９０    度の直角継手である。
ハ）図３に示すようにユニット上部（７）は、二方向直角継手（６）を左右対称に２個配    置し、継手間を横手パイプ（２）でジョイントする。更に、直角方向部に縦パイプ（    ３）を左右各１本、継手（６）にジョイントし、形成されている。
二方向直角継手（６）は、図６に示すようにパイプを二方向に繋げられる二方向９０    度の直角継手である。
二）ユニット底部（５）とユニット上部（７）を相反する向き上下に据え、ユニット底部    （５）の垂直パイプ（４）２本とユニット上部（７）の縦パイプ（３）２本を継手（    ６）でジョイントし、立体構造物とする。
ホ）ユニット上部（７）に濡れタオル（８）を覆う。
本発明は以上のような構造である。
【０００９】イ）本発明を使用するときは、寝具（９）の枕（１０）側の敷き布団（１１）の下にユニ    ット底部（５）の縦パイプ（３）２本を差し込み、本体を固定させる。寝る事によっ    て頭の重みと、横たわる荷重で本体がズレル事が防げる。
ロ）図４に示すように頭部側に自然と張り出るユニット上部（７）の真下に枕（１０）を    置き、就寝する際は、ユニット上部（７）に濡れタオル（８）を覆い、顔面が濡れタ    オル（８）に覆われる容となり、顔全体、口や喉、鼻を水分で潤し、乾燥防止となる    。
ハ）濡れタオル（８）で顔を覆う事により遮光効果が得られ、また、好きなアロマオイル    を適量、濡れタオル（８）に含ませる事により、リラクゼーション効果も得られる。
【符号の説明】
【００１０】１  三方向直角継手、２  横手パイプ、３  縦パイプ、４  垂直パイプ、
５  ユニット底部、６  二方向直角継手、７  ユニット上部、８  濡れタオル、
９  寝具、１０  枕、１１  敷布団
【図１】
2016123831.tif 000003
【図２】
2016123831.tif 000004
【図３】
2016123831.tif 000005
【図４】
2016123831.tif 000006
【図５】
2016123831.tif 000007
【図６】
2016123831.tif 000008